Podtech/llm-jp-corpus-v4-ja_patent huggingface dataset:
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
遊技媒体を用いて遊技を提供する遊技機であって、
前記遊技媒体が始動領域を通過することにより遊技者に有利な特別遊技を実行するか否かの特別遊技判定を行う特別遊技判定手段と、
前記特別遊技判定手段により前記特別遊技を実行すると判定されることにより、該特別遊技を実行する特別遊技制御手段と、
所定遊技状態、または、該所定遊技状態よりも前記特別遊技判定手段により前記特別遊技を実行すると判定され易い有利遊技状態とする遊技状態制御手段と、
複数の選択オブジェクトの中から遊技者によって選択オブジェクトが選択された場合、該選択オブジェクトに関連付けられた特定曲を前記特別遊技の実行中に出力する曲出力手段と、を備え、
前記曲出力手段は、
前記特別遊技の実行後に前記有利遊技状態となる場合には、前記特定曲および該特定曲以外の曲を出力する一方、該特別遊技の実行後に前記所定遊技状態となる場合には、前記特定曲以外の曲を出力する、
ことを特徴とする遊技機。
【手続補正２】
【補正対象書類名】明細書
【補正対象項目名】０００７
【補正方法】変更
【補正の内容】
【０００７】
しかしながら、このような従来の遊技機においては、大当たり中に単にＢＧＭとして再生出力されるだけであった。
【手続補正３】
【補正対象書類名】明細書
【補正対象項目名】０００８
【補正方法】変更
【補正の内容】
【０００８】
本発明は、大当たり中に出力される曲に対して興趣を抱かせることが可能な遊技機を提供することを目的とする。
【手続補正４】
【補正対象書類名】明細書
【補正対象項目名】０００９
【補正方法】変更
【補正の内容】
【０００９】
上述の目的を達成するため、本願請求項１に係る発明は、遊技媒体を用いて遊技を提供する遊技機であって、前記遊技媒体が始動領域を通過することにより遊技者に有利な特別遊技を実行するか否かの特別遊技判定を行う特別遊技判定手段と、前記特別遊技判定手段により前記特別遊技を実行すると判定されることにより、該特別遊技を実行する特別遊技制御手段と、所定遊技状態、または、該所定遊技状態よりも前記特別遊技判定手段により前記特別遊技を実行すると判定され易い有利遊技状態とする遊技状態制御手段と、複数の選択オブジェクトの中から遊技者によって選択オブジェクトが選択された場合、該選択オブジェクトに関連付けられた特定曲を前記特別遊技の実行中に出力する曲出力手段と、を備え、前記曲出力手段は、前記特別遊技の実行後に前記有利遊技状態となる場合には、前記特定曲および該特定曲以外の曲を出力する一方、該特別遊技の実行後に前記所定遊技状態となる場合には、該特定曲以外の曲を出力する、ことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明の遊技機によれば、大当たり中に出力される曲に対して興趣を抱かせることが可能となる。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に設けられる始動領域を遊技球が通過することにより遊技者に有利な特別遊技を実行するか否かの特別遊技判定を行う特別遊技判定手段と、
前記始動領域を遊技球が通過することにより図柄を変動表示し、前記特別遊技判定手段の判定結果に応じた態様で該図柄を停止表示させる図柄表示手段と、
前記特別遊技判定手段により前記特別遊技を実行すると判定されることにより、該特別遊技の制御を行う特別遊技制御手段と、
前記特別遊技判定手段により前記特別遊技を実行すると判定されやすい遊技者に有利な有利遊技状態、及び、該有利遊技状態よりも該特別遊技を実行すると判定され難い遊技者に不利な不利遊技状態の何れかの遊技状態を設定する遊技状態設定手段と、
前記図柄表示手段により前記図柄を変動表示している状態にて所定の遊技演出を行うとともに、該図柄表示手段により該図柄を変動表示していない遊技待機状態にて遊技待機演出を行う演出制御手段と、
前記変動表示に応じて獲得したポイント数を保持するポイント数保持手段と、
を備え、
前記演出制御手段は、
前記ポイント数保持手段に保持された前記ポイント数と前記遊技状態設定手段により設定された前記遊技状態とに応じて前記遊技待機演出を行うことを特徴とする遊技機。
【手続補正２】
【補正対象書類名】明細書
【補正対象項目名】０００９
【補正方法】変更
【補正の内容】
【０００９】
上述の目的を達成するため、本願請求項１に係る発明は、遊技球が流下可能な遊技領域に設けられる始動領域を遊技球が通過することにより遊技者に有利な特別遊技を実行するか否かの特別遊技判定を行う特別遊技判定手段と、前記始動領域を遊技球が通過することにより図柄を変動表示し、前記特別遊技判定手段の判定結果に応じた態様で該図柄を停止表示させる図柄表示手段と、前記特別遊技判定手段により前記特別遊技を実行すると判定されることにより、該特別遊技の制御を行う特別遊技制御手段と、前記特別遊技判定手段により前記特別遊技を実行すると判定されやすい遊技者に有利な有利遊技状態、及び、該有利遊技状態よりも該特別遊技を実行すると判定され難い遊技者に不利な不利遊技状態の何れかの遊技状態を設定する遊技状態設定手段と、前記図柄表示手段により前記図柄を変動表示している状態にて所定の遊技演出を行うとともに、該図柄表示手段により該図柄を変動表示していない遊技待機状態にて遊技待機演出を行う演出制御手段と、前記変動表示に応じて獲得したポイント数を保持するポイント数保持手段と、を備え、前記演出制御手段は、前記ポイント数保持手段に保持された前記ポイント数と前記遊技状態設定手段により設定された前記遊技状態とに応じて前記遊技待機演出を行うことを特徴とする。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
遊技の演出に係る制御を行う演出制御手段を備え、
複数の演出装置を複数グループに分割し、該分割されたグループに属する演出装置を制御するためのグループ単位制御手段をグループ毎に設け、
前記演出制御手段を、前記グループ単位制御手段の各々を統括的に制御するグループ統括制御手段として構成するとともに、
前記グループ統括制御手段と前記グループ単位制御手段との間に、タイミング信号を伝達するタイミング信号線と、データ信号を伝達するデータ線と、を備え、
前記グループ統括制御手段は、
データ信号の伝達が終了する毎に、前記グループ単位制御手段からの返答信号を取り込む返答信号取込手段と、
前記返答信号取込手段によって取り込まれた返答信号によってデータ信号の伝達の成否を判定する判定手段と、
前記判定手段の判定結果に基づいて、前記グループ統括制御手段に接続可能なすべてのグループ単位制御手段に対して、前記グループ統括制御手段との接続状態を判定する接続判定手段と、を備えたことを特徴とする遊技機。
【手続補正２】
【補正対象書類名】明細書
【補正対象項目名】０００１
【補正方法】変更
【補正の内容】
【０００１】
グループに分割された演出装置を制御する複数のグループ単位制御手段と、複数のグループ単位制御手段を制御するグループ統括制御手段とを備える遊技機に関する。
【手続補正３】
【補正対象書類名】明細書
【補正対象項目名】０００５
【補正方法】変更
【補正の内容】
【０００５】
従来の遊技機では、配線を十分に削減することができなかった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明は、グループ統括制御手段とグループ単位制御手段との間の配線を削減することのできる遊技機を提供することを目的とする。
【手続補正８】
【補正対象書類名】明細書
【補正対象項目名】００１０
【補正方法】変更
【補正の内容】
【００１０】
本発明は、遊技の演出に係る制御を行う演出制御手段を備え、複数の演出装置を複数グループに分割し、該分割されたグループに属する演出装置を制御するためのグループ単位制御手段をグループ毎に設け、前記演出制御手段を、前記グループ単位制御手段の各々を統括的に制御するグループ統括制御手段として構成するとともに、前記グループ統括制御手段と前記グループ単位制御手段との間に、タイミング信号を伝達するタイミング信号線と、データ信号を伝達するデータ線と、を備え、前記グループ統括制御手段は、データ信号の伝達が終了する毎に、前記グループ単位制御手段からの返答信号を取り込む返答信号取込手段と、前記返答信号取込手段によって取り込まれた返答信号によってデータ信号の伝達の成否を判定する判定手段と、前記判定手段の判定結果に基づいて、前記グループ統括制御手段に接続可能なすべてのグループ単位制御手段に対して、前記グループ統括制御手段との接続状態を判定する接続判定手段と、を備えた。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明によれば、グループ統括制御手段とグループ単位制御手段との間の配線を削減することができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御手段と、該遊技制御手段からの指令に対応して、遊技の演出に係る制御を行う演出制御手段と、を備える遊技機において、
複数の演出装置を複数グループに分割し、該分割されたグループに属する演出装置を制御するためのグループ単位制御手段をグループ毎に設け、
前記演出制御手段を、前記グループ単位制御手段の各々を統括的に制御するグループ統括制御手段として構成するとともに、
前記グループ統括制御手段から前記グループ単位制御手段へタイミング信号を伝達するタイミング信号線と、
前記グループ統括制御手段と前記グループ単位制御手段との間で、下り方向及び上り方向の各データ信号が授受されるデータ線と、
を備えることにより前記グループ統括制御手段と前記各グループ単位制御手段との間で相互にデータ送信を可能とし、
前記グループ統括制御手段は、
前記データ線の信号レベルを、下り方向データに対応する信号レベルに設定しながら前記タイミング信号線の信号レベルを繰り返し変化させることで、順次前記グループ単位制御手段に下り方向データを送信する送信手段と、
前記送信手段による下り方向データの送信を規制する規制手段と、を備え、
前記グループ単位制御手段は、
当該グループ単位制御手段自身を初期化する初期化手段を備えることを特徴とする遊技機。
【手続補正２】
【補正対象書類名】明細書
【補正対象項目名】０００１
【補正方法】変更
【補正の内容】
【０００１】
グループに分割された演出装置を制御する複数のグループ単位制御手段と、複数のグループ単位制御手段を制御するグループ統括制御手段とを備える遊技機に関する。
【手続補正３】
【補正対象書類名】明細書
【補正対象項目名】０００５
【補正方法】変更
【補正の内容】
【０００５】
従来の遊技機では、配線を十分に削減することができなかった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明は、グループ統括制御手段とグループ単位制御手段との間の配線を削減することのできる遊技機を提供することを目的とする。
【手続補正９】
【補正対象書類名】明細書
【補正対象項目名】００１１
【補正方法】変更
【補正の内容】
【００１１】
本発明は、遊技を統括的に制御する遊技制御手段と、該遊技制御手段からの指令に対応して、遊技の演出に係る制御を行う演出制御手段と、を備える遊技機において、複数の演出装置を複数グループに分割し、該分割されたグループに属する演出装置を制御するためのグループ単位制御手段をグループ毎に設け、前記演出制御手段を、前記グループ単位制御手段の各々を統括的に制御するグループ統括制御手段として構成するとともに、前記グループ統括制御手段から前記グループ単位制御手段へタイミング信号を伝達するタイミング信号線と、前記グループ統括制御手段と前記グループ単位制御手段との間で、下り方向及び上り方向の各データ信号が授受されるデータ線と、を備えることにより前記グループ統括制御手段と前記各グループ単位制御手段との間で相互にデータ送信を可能とし、前記グループ統括制御手段は、前記データ線の信号レベルを、下り方向データに対応する信号レベルに設定しながら前記タイミング信号線の信号レベルを繰り返し変化させることで、順次前記グループ単位制御手段に下り方向データを送信する送信手段と、前記送信手段による下り方向データの送信を規制する規制手段と、を備え、前記グループ単位制御手段は、当該グループ単位制御手段自身を初期化する初期化手段を備える。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明によれば、グループ統括制御手段とグループ単位制御手段との間の配線を削減することができる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
遊技場に設置された各遊技機を個々に識別可能な識別情報と対応付けて該遊技場における当該遊技機の設置位置を記憶する設置位置記憶手段と、
前記遊技機から出力される当該遊技機の識別情報を取得する識別情報取得手段と、
前記識別情報取得手段にて取得した識別情報から特定される遊技機がいずれの設置位置に設置されているかを特定する設置位置特定手段と、
前記識別情報取得手段にて取得した識別情報と前記設置位置特定手段にて特定された設置位置との対応関係が、前記設置位置記憶手段が記憶している該識別情報と該設置位置との対応関係と一致するか否かを判定する第１判定手段と、
前記第１判定手段によって一致しないと判定されたときに、前記識別情報取得手段にて取得した識別情報が、前記設置位置特定手段にて特定された設置位置以外の他の設置位置と対応付けて前記設置位置記憶手段が記憶している識別情報に含まれるか否かを判定する第２判定手段と、
前記第２判定手段によって含まれると判定されたことを条件に、前記設置位置特定手段にて特定された設置位置と対応付けて前記設置位置記憶手段が記憶している識別情報を、前記識別情報取得手段にて取得した識別情報に更新する移動処理を行う移動処理手段と、
表示が可能な表示手段と、
前記第２判定手段によって含まれないと判定されたことを条件に、前記表示手段に所定表示を表示する識別情報異常処理を実施する識別情報異常処理手段と、
を備える、
ことを特徴とする遊技用管理装置。
【手続補正２】
【補正対象書類名】明細書
【補正対象項目名】０００７
【補正方法】変更
【補正の内容】
【０００７】
前記課題を解決するために、本発明の請求項１に記載の遊技用管理装置（ホールコンピュータ１４０）は、
遊技場に設置された各遊技機（パチンコ機２）を個々に識別可能な識別情報（チップＩＤ）と対応付けて該遊技場における当該遊技機の設置位置（台番号）を記憶する設置位置記憶手段（記憶装置１４５；遊技機テーブル）と、
前記遊技機から出力される当該遊技機の識別情報を取得する識別情報取得手段（通信部１４９、島端末６、台端末５）と、
前記識別情報取得手段にて取得した識別情報から特定される遊技機がいずれの設置位置に設置されているかを特定する設置位置特定手段（ＣＰＵ１４２が台番号特定処理を実施する部分）と、
前記識別情報取得手段にて取得した識別情報と前記設置位置特定手段にて特定された設置位置（台番号）との対応関係が、前記設置位置記憶手段が記憶している該識別情報と該設置位置との対応関係と一致するか否かを判定する第１判定手段（ＣＰＵ１４２が遊技機ＩＤ判定処理を実施する部分）と、
前記判定手段によって一致しないと判定されたときに、前記識別情報取得手段にて取得した識別情報が、前記設置位置特定手段にて特定された設置位置以外の他の設置位置と対応付けて前記設置位置記憶手段が記憶している識別情報に含まれるか否か（複製データに存在するか否か）を判定する第２判定手段（ＣＰＵ１４２が移動判定処理を実施する部分）と、
前記第２判定手段によって含まれる（複製データに存在する）と判定されたことを条件に、前記設置位置特定手段にて特定された設置位置と対応付けて前記設置位置記憶手段が記憶している識別情報を、前記識別情報取得手段にて取得した識別情報に更新する移動処理を行う移動処理手段（ＣＰＵ１４２が移動処理を実施する部分）と、
表示が可能な表示手段と、
前記第２判定手段によって含まれないと判定されたことを条件に、前記表示手段に所定表示を表示する識別情報異常処理を実施する識別情報異常処理手段（ＣＰＵ１４２が識別情報異常処理を実施する部分）と、
を備える、
ことを特徴としている。
この特徴によれば、各遊技機から取得した識別情報と設置位置特定手段にて特定された設置位置との対応関係が、設置位置記憶手段が記憶している該識別情報と該設置位置との対応関係と一致しないときには、設置位置特定手段にて特定された設置位置以外の他の設置位置と対応付けて前記設置位置記憶手段が記憶している識別情報に含まれるか否か、つまり、設置位置移動であるか否かが判定され、含まれない場合には識別情報異常処理が実施される一方、含まれる場合には移動処理が実施されて配置位置と識別情報の対応関係が更新されるので、遊技機への不正を見逃すことなく、設置位置移動を実施する際の作業性を向上することができる。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
遊技の演出に係る制御を行う演出制御手段を備えた遊技機において、
複数の演出装置を複数グループに分割し、該分割されたグループに属する演出装置を制御するためのグループ単位制御手段をグループ毎に設け、
前記演出制御手段を、前記グループ単位制御手段の各々を統括的に制御するグループ統括制御手段として構成するとともに、
前記グループ統括制御手段と前記グループ単位制御手段との間に、タイミング信号を伝達するタイミング信号線と、データ信号を伝達するデータ線と、を備え、
前記グループ統括制御手段は、
前記データ線の信号レベルを、伝達するデータに対応する信号レベルに設定しながら前記タイミング信号線の信号レベルを繰り返し変化させることで、順次前記グループ単位制御手段にデータの伝達を行い、
前記グループ単位制御手段は、
当該グループ単位制御手段自身を初期化する初期化手段を備えたことを特徴とする遊技機。
【手続補正２】
【補正対象書類名】明細書
【補正対象項目名】０００１
【補正方法】変更
【補正の内容】
【０００１】
グループに分割された演出装置を制御する複数のグループ単位制御手段と、複数のグループ単位制御手段を制御するグループ統括制御手段とを備える遊技機に関する。
【手続補正３】
【補正対象書類名】明細書
【補正対象項目名】０００５
【補正方法】変更
【補正の内容】
【０００５】
従来の遊技機では、配線を十分に削減することができなかった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明は、グループ統括制御手段とグループ単位制御手段との間の配線を削減することのできる遊技機を提供することを目的とする。
【手続補正９】
【補正対象書類名】明細書
【補正対象項目名】００１１
【補正方法】変更
【補正の内容】
【００１１】
本発明は、遊技の演出に係る制御を行う演出制御手段を備えた遊技機において、複数の演出装置を複数グループに分割し、該分割されたグループに属する演出装置を制御するためのグループ単位制御手段をグループ毎に設け、前記演出制御手段を、前記グループ単位制御手段の各々を統括的に制御するグループ統括制御手段として構成するとともに、前記グループ統括制御手段と前記グループ単位制御手段との間に、タイミング信号を伝達するタイミング信号線と、データ信号を伝達するデータ線と、を備え、前記グループ統括制御手段は、前記データ線の信号レベルを、伝達するデータに対応する信号レベルに設定しながら前記タイミング信号線の信号レベルを繰り返し変化させることで、順次前記グループ単位制御手段にデータの伝達を行い、前記グループ単位制御手段は、当該グループ単位制御手段自身を初期化する初期化手段を備えた。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明によれば、グループ統括制御手段とグループ単位制御手段との間の配線を削減することができる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正書】
【提出日】平成27年8月18日(2015.8.18)
【手続補正１】
【補正対象書類名】明細書
【補正対象項目名】０００５
【補正方法】変更
【補正の内容】
【０００５】
ここで、装飾図柄を表す画像の画質を低くすると画像データ容量が少なくなる反面、装飾図柄が表示された場合に画像の画質低下によって遊技者の満足度が低下することが懸念される。一方、上記画像の画質を高くした場合、画像データ容量が膨大になってしまう。
【手続補正２】
【補正対象書類名】明細書
【補正対象項目名】０００６
【補正方法】変更
【補正の内容】
【０００６】
それ故に、本発明の目的は、表示画像を表示する際に、遊技者の満足度の低下を防止しながら、当該表示画像を表示するために必要な画像データ容量の増加を軽減することが可能となる遊技機を提供することである。
【手続補正３】
【補正対象書類名】明細書
【補正対象項目名】０００８
【補正方法】変更
【補正の内容】
【０００８】
本発明の遊技機の一構成例は、特別遊技判定手段および図柄画像表示手段を備える。特別遊技判定手段は、遊技者に有利な特別遊技を実行するか否かの判定を行う。図柄画像表示手段は、特別遊技判定手段の判定結果に基づいて、表示画面にて図柄画像を変動表示させた後に当該判定結果を示す態様で停止表示させる。図柄画像は、所定の解像度からなる第１部分と所定の解像度よりも低い解像度からなる第２部分とで構成される。図柄画像表示手段は、図柄画像を変動表示させる場合には、第１部分と第２部分とを表示画面に表示させ、図柄画像を停止表示させる場合には、第１部分を表示画面に表示させるとともに、第２部分は表示画面に非表示とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明によれば、解像度の異なる画像を組み合わせることによって単一の表示画像が構成されているため、当該表示画像を視認する遊技者の満足度の低下を防止しつつ、当該表示画像を表示するために必要な画像データ容量の増加を軽減することが可能となる。
【手続補正１１】
【補正対象書類名】特許請求の範囲
【補正対象項目名】全文
【補正方法】変更
【補正の内容】
【特許請求の範囲】
【請求項１】
遊技者に有利な特別遊技を実行するか否かの判定を行う特別遊技判定手段と、
前記特別遊技判定手段の判定結果に基づいて、表示画面にて図柄画像を変動表示させた後に当該判定結果を示す態様で停止表示させる図柄画像表示手段とを備え、
前記図柄画像は、所定の解像度からなる第１部分と前記所定の解像度よりも低い解像度からなる第２部分とで構成され、
前記図柄画像表示手段は、前記図柄画像を変動表示させる場合には、前記第１部分と前記第２部分とを前記表示画面に表示させ、前記図柄画像を停止表示させる場合には、前記第１部分を前記表示画面に表示させるとともに、前記第２部分は前記表示画面に非表示とすることを特徴とする遊技機。
【手続補正書】
【提出日】平成26年12月17日(2014.12.17)
【手続補正１】
【補正対象書類名】明細書
【補正対象項目名】発明の名称
【補正方法】変更
【補正の内容】
【発明の名称】薬剤分包装置、線引き補助具、シート置台
【手続補正２】
【補正対象書類名】明細書
【補正対象項目名】０００１
【補正方法】変更
【補正の内容】
【０００１】
本発明は、薬剤分包装置、線引き補助具、シート置台に関する。
【手続補正３】
【補正対象書類名】明細書
【補正対象項目名】０００９
【補正方法】変更
【補正の内容】
【０００９】
本発明は、薬剤を分包シートに分包するための分包手段を備えた薬剤分包装置であって、前記薬剤分包装置に係合され、前記薬剤分包装置の上に置かれた前記分包シートの上に重ねて、前記分包シートに線を手描きするために用いるガイドとなる線引き補助具を有する。
また、本発明は、薬剤を分包シートに分包するための分包手段を備えた薬剤分包装置であって、前記薬剤分包装置に係合され、前記分包シートを置くためのシート置台と、前記シート置台に係合され、前記シート置台の上に置かれた前記分包シートの上に重ねて、前記分包シートに線を手描きするために用いるガイドとなる線引き補助具を有する。
【手続補正４】
【補正対象書類名】特許請求の範囲
【補正対象項目名】全文
【補正方法】変更
【補正の内容】
【特許請求の範囲】
【請求項１】
薬剤を分包シートに分包するための分包手段を備えた薬剤分包装置であって、
前記薬剤分包装置に係合され、前記薬剤分包装置の上に置かれた前記分包シートの上に重ねて、前記分包シートに線を手描きするために用いるガイドとなる線引き補助具を有することを特徴とする薬剤分包装置。
【請求項２】
前記分包シートを置くためのシート置台をさらに備える請求項１に記載の薬剤分包装置。
【請求項３】
薬剤を分包シートに分包するための分包手段を備えた薬剤分包装置であって、
前記薬剤分包装置に係合され、前記分包シートを置くためのシート置台と、
前記シート置台に係合され、前記シート置台の上に置かれた前記分包シートの上に重ねて、前記分包シートに線を手描きするために用いるガイドとなる線引き補助具と
を有することを特徴とする薬剤分包装置。
【請求項４】
前記シート置台は、前記分包シートに分包するための薬剤の投入をユーザから受付ける投入口の蓋として機能することを特徴とする請求項３に記載の薬剤分包装置。
【請求項５】
前記シート置台は、前記線引き補助具を前記分包シートの上に重ねた際に、当該分包シートに前記情報を描き入れるための台となる略水平面と、前記分包シートに分包された前記薬剤を前記分包シートの一端に集めやすくするために前記略水平面から重力方向に下る向きに傾斜した傾斜面とが設けられた前記シート置台であることを特徴とする請求項２乃至４のいずれか１項に記載の薬剤分包装置。
【請求項６】
前記シート置台は、前記分包シートに線を描き入れる際、前記分包シートの設置位置をずれにくくするための、前記分包シートの有する分断用のミシン目の方向の幅に適合する幅の窪みであって、かつ、当該ミシン目の方向に直行する左右の方向に向かって伸びている窪みであって、かつ、重力方向に略垂直に設けられた溝状の窪みが設けられていることを特徴とする請求項２乃至５のいずれか１項に記載の薬剤分包装置。
【請求項７】
前記前記シート置台と前記線引き補助具とは、前記前記シート置台と前記線引き補助具との間に前記分包シートを挟み込んだ際に、前記分包シートを固定できるよう、前記シート置台と前記線引き補助具とが互いに対接する方向に力が加わるよう係合されることを特徴とする請求項２乃至６のいずれか１項に記載の薬剤分包装置。
【請求項８】
前記線引き補助具は、仕切り部材により所定の間隔で区分され、同一線上に並んだ複数の前記溝部が設けられていることを特徴とする請求項１乃至７のいずれか１項に記載の薬剤分包装置。
【請求項９】
前記線引き補助具は、当該線引き補助具を前記分包シートの上に重ねた際に、前記分包シートの設置位置が当該線引き補助具の上から透かして確認できる透明または半透明な素材で構成されていることを特徴とする、請求項１乃至８のいずれか１項に記載の薬剤分包装置。
【請求項１０】
前記線引き補助具は、前記分包シートに分包するための薬剤の投入をユーザから受付ける投入口の蓋であることを特徴とする請求項１または請求項２に記載の薬剤分包装置。
【請求項１１】
薬剤を分包シートに分包するための分包手段を備えた薬剤分包装置と係合する線引き補助具であって、
前記薬剤分包装置の上に置かれた前記分包シートの上に重ねて、前記分包シートに分包される前記薬剤の服用時または服用者を特定する情報を、前記分包シートに手描きするために用いるガイド部を有することを特徴とする線引き補助具。
【請求項１２】
薬剤を分包シートに分包するための分包手段を備えた薬剤分包装置に係合し、前記分包シートを置くためのシート置台であって、
前記シート置台に係合され、当該シート置台の上に置かれた前記分包シートの上に重ねて、前記分包シートに線を手描きするために用いるガイドとなる線引き補助具を有することを特徴とするシート置台。
【手続補正書】
【提出日】平成27年7月24日(2015.7.24)
【手続補正１】
【補正対象書類名】特許請求の範囲
【補正対象項目名】請求項１
【補正方法】変更
【補正の内容】
【請求項１】
第１の始動入球手段と、
前記第１の始動入球手段への遊技球の入球を契機として、第１の変動ゲームの実行を保留する第１保留記憶手段と、
遊技球の入球を許容する開放状態及び遊技球の入球を許容しない閉鎖状態に変位可能な第２の始動入球手段と、
前記第２の始動入球手段への遊技球の入球を契機として、第２の変動ゲームの実行を保留する第２保留記憶手段と、
前記第１の変動ゲームの実行が保留されている場合、前記実行が保留されている第１の変動ゲームの実行を開始させる第１のゲーム実行制御手段と、
前記第２の変動ゲームの実行が保留されている場合、前記第１の変動ゲームの実行が保留されていないことを条件に、前記実行が保留されている第２の変動ゲームの実行を開始させる第２のゲーム実行制御手段と、
前記第１の変動ゲームを抽選対象として第１の大当り抽選を行う第１の大当り抽選手段と、
前記第２の変動ゲームを抽選対象として第２の大当り抽選を行う第２の大当り抽選手段と、
前記第１の大当り抽選の当選対象となった第１の変動ゲーム終了後及び前記第２の大当り抽選の当選対象となった第２の変動ゲーム終了後、大当り遊技を生起させる大当り遊技生起手段と、
前記大当り遊技終了後、前記第２の始動入球手段への遊技球の入球率が通常よりも高確率となる入球率向上状態を生起させる入球率向上状態生起手段と、
前記大当り遊技終了後の演出実行手段における報知演出の実行を制御する演出制御手段と、を備え、
実行が保留されている第１の変動ゲームと実行が保留されている第２の変動ゲームのそれぞれがある場合、前記第２の変動ゲームは、全ての第１の変動ゲームが実行された後に実行され、
前記入球率向上状態生起手段は、前記第２の大当り抽選の当選を契機として生起された大当り遊技終了後には、前記第１の大当り抽選の当選を契機として生起された大当り遊技終了後よりも高確率で前記入球率向上状態を生起させ、
前記演出制御手段は、前記大当り遊技終了後、入球率向上状態が生起されているときであって前記第１の変動ゲームの実行中、第１の変動ゲームが実行されていることを報知する報知演出の実行を制御することを特徴とする遊技機。
【手続補正２】
【補正対象書類名】明細書
【補正対象項目名】０００６
【補正方法】変更
【補正の内容】
【０００６】
上記課題を解決する遊技機は、第１の始動入球手段と、前記第１の始動入球手段への遊技球の入球を契機として、第１の変動ゲームの実行を保留する第１保留記憶手段と、遊技球の入球を許容する開放状態及び遊技球の入球を許容しない閉鎖状態に変位可能な第２の始動入球手段と、前記第２の始動入球手段への遊技球の入球を契機として、第２の変動ゲームの実行を保留する第２保留記憶手段と、前記第１の変動ゲームの実行が保留されている場合、前記実行が保留されている第１の変動ゲームの実行を開始させる第１のゲーム実行制御手段と、前記第２の変動ゲームの実行が保留されている場合、前記第１の変動ゲームの実行が保留されていないことを条件に、前記実行が保留されている第２の変動ゲームの実行を開始させる第２のゲーム実行制御手段と、前記第１の変動ゲームを抽選対象として第１の大当り抽選を行う第１の大当り抽選手段と、前記第２の変動ゲームを抽選対象として第２の大当り抽選を行う第２の大当り抽選手段と、前記第１の大当り抽選の当選対象となった第１の変動ゲーム終了後及び前記第２の大当り抽選の当選対象となった第２の変動ゲーム終了後、大当り遊技を生起させる大当り遊技生起手段と、前記大当り遊技終了後、前記第２の始動入球手段への遊技球の入球率が通常よりも高確率となる入球率向上状態を生起させる入球率向上状態生起手段と、前記大当り遊技終了後の演出実行手段における報知演出の実行を制御する演出制御手段と、を備え、実行が保留されている第１の変動ゲームと実行が保留されている第２の変動ゲームのそれぞれがある場合、前記第２の変動ゲームは、全ての第１の変動ゲームが実行された後に実行され、前記入球率向上状態生起手段は、前記第２の大当り抽選の当選を契機として生起された大当り遊技終了後には、前記第１の大当り抽選の当選を契機として生起された大当り遊技終了後よりも高確率で前記入球率向上状態を生起させ、前記演出制御手段は、前記大当り遊技終了後、入球率向上状態が生起されているときであって前記第１の変動ゲームの実行中、第１の変動ゲームが実行されていることを報知する報知演出の実行を制御することを特徴とする。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
遊技盤と、
前記遊技盤に配置される第１の始動入球手段と、
前記第１の始動入球手段への遊技球の入球を契機として、第１の変動ゲームの実行を保留する第１保留記憶手段と、
前記第１の変動ゲームを抽選対象として第１の大当り抽選を行う第１の大当り抽選手段と、
前記遊技盤に配置され、遊技球の入球を許容する開放状態及び遊技球の入球を許容しない閉鎖状態に変位可能な第２の始動入球手段と、
前記第２の始動入球手段への遊技球の入球を契機として、第２の変動ゲームの実行を保留する第２保留記憶手段と、
前記第２の変動ゲームを抽選対象として第２の大当り抽選を行う第２の大当り抽選手段と、
前記第１の変動ゲーム及び前記第２の変動ゲームの実行を制御するゲーム実行制御手段と、
前記遊技盤に配置され、遊技球の入球を許容する開放状態及び遊技球の入球を許容しない閉鎖状態に変位可能な特別入球手段と、
前記第１の大当り抽選の当選対象となった第１の変動ゲーム終了後及び前記第２の大当り抽選の当選対象となった第２の変動ゲーム終了後、前記特別入球手段の開放状態を制御して大当り遊技を生起させる大当り遊技生起手段と、を備え、
前記特別入球手段には、第１の特別入球手段と、第２の特別入球手段と、が含まれ、
前記遊技盤には、発射された遊技球がアウト口に向かって流下するルートが複数規定され、
前記複数のルートには、発射された遊技球がアウト口へ向かって流下する経路が異なる第１のルートと第２のルートが含まれ、
前記遊技盤において前記第１の始動入球手段及び前記第１の特別入球手段は、前記第１のルートで流下する遊技球が入球可能に配置され、
前記遊技盤において前記第２の始動入球手段及び前記第２の特別入球手段は、前記第２のルートで流下する遊技球が入球可能に配置され、
前記ゲーム実行制御手段は、
前記第１の変動ゲームの実行が保留されている場合、前記実行が保留されている第１の変動ゲームの実行を開始させ、
前記第２の変動ゲームの実行が保留されている場合、前記第１の変動ゲームの実行が保留されていないことを条件に、前記実行が保留されている第２の変動ゲームの実行を開始させ、
前記第２の大当り抽選に当選し、前記第２の変動ゲームの終了後に生起される大当り遊技には、前記第１の特別入球手段が開放される大当り遊技を含むことを特徴とする遊技機。
【手続補正２】
【補正対象書類名】明細書
【補正対象項目名】０００６
【補正方法】変更
【補正の内容】
【０００６】
上記課題を解決する遊技機は、遊技盤と、前記遊技盤に配置される第１の始動入球手段と、前記第１の始動入球手段への遊技球の入球を契機として、第１の変動ゲームの実行を保留する第１保留記憶手段と、前記第１の変動ゲームを抽選対象として第１の大当り抽選を行う第１の大当り抽選手段と、前記遊技盤に配置され、遊技球の入球を許容する開放状態及び遊技球の入球を許容しない閉鎖状態に変位可能な第２の始動入球手段と、前記第２の始動入球手段への遊技球の入球を契機として、第２の変動ゲームの実行を保留する第２保留記憶手段と、前記第２の変動ゲームを抽選対象として第２の大当り抽選を行う第２の大当り抽選手段と、前記第１の変動ゲーム及び前記第２の変動ゲームの実行を制御するゲーム実行制御手段と、前記遊技盤に配置され、遊技球の入球を許容する開放状態及び遊技球の入球を許容しない閉鎖状態に変位可能な特別入球手段と、前記第１の大当り抽選の当選対象となった第１の変動ゲーム終了後及び前記第２の大当り抽選の当選対象となった第２の変動ゲーム終了後、前記特別入球手段の開放状態を制御して大当り遊技を生起させる大当り遊技生起手段と、を備え、前記特別入球手段には、第１の特別入球手段と、第２の特別入球手段と、が含まれ、前記遊技盤には、発射された遊技球がアウト口に向かって流下するルートが複数規定され、前記複数のルートには、発射された遊技球がアウト口へ向かって流下する経路が異なる第１のルートと第２のルートが含まれ、前記遊技盤において前記第１の始動入球手段及び前記第１の特別入球手段は、前記第１のルートで流下する遊技球が入球可能に配置され、前記遊技盤において前記第２の始動入球手段及び前記第２の特別入球手段は、前記第２のルートで流下する遊技球が入球可能に配置され、前記ゲーム実行制御手段は、前記第１の変動ゲームの実行が保留されている場合、前記実行が保留されている第１の変動ゲームの実行を開始させ、前記第２の変動ゲームの実行が保留されている場合、前記第１の変動ゲームの実行が保留されていないことを条件に、前記実行が保留されている第２の変動ゲームの実行を開始させ、前記第２の大当り抽選に当選し、前記第２の変動ゲームの終了後に生起される大当り遊技には、前記第１の特別入球手段が開放される大当り遊技を含むことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
第１端部、第２端部、縮小部及び非縮小部を含み、コンパクト状態から拡張状態へ拡張可能な、弁本体を支持するフレームと、
自由頂点で互いに結合している、周状に拡張しうる複数の補強部を含み、前記フレームが拡張状態の場合、フレームの非縮小部から外径方向へ延出している複数の第１アンカーと、
前記フレームが拡張状態の場合、フレームの縮小部からフレームの第１端部方向である外径方向に延出している複数の第２アンカーと、を備える置換僧帽弁であって、
使用の際に、コンパクト状態のフレームは、僧帽弁が複数の第１アンカーと複数の第２アンカーとの間に位置する第１の配置にあり、前記第２アンカーを前記第１アンカーへ接近させてそれらの間にある生体僧帽弁を把持するように拡張可能である、ことを特徴とする置換僧帽弁。
【請求項２】
前記非縮小部は複数の長手方向の補強部を備えていることを特徴とする請求項１に記載の置換僧帽弁。
【請求項３】
前記自由頂点はそれぞれ突起を備えていることを特徴とする請求項１又は２に記載の置換僧帽弁。
【請求項４】
前記縮小部は、概ねダイヤモンド型のセルのリングを備えていることを特徴とする請求項１乃至３の何れか１項に記載の置換僧帽弁。
【請求項５】
前記縮小部のセルの各々は、第１端部と第２端部とを備えていることを特徴とする請求項４に記載の置換僧帽弁。
【請求項６】
各々のセルの第１端部は、小穴にて前記非縮小部と接続していることを特徴とする請求項５に記載の置換僧帽弁。
【請求項７】
前記複数の第２アンカーの各々は、前記縮小部の第２端部に付着していることを特徴とする請求項５又は６に記載の置換僧帽弁。
【請求項８】
前記フレームが拡張状態の場合、前記第１アンカーは第２アンカーと同一直線上にはないことを特徴とする請求項１乃至７の何れか１項に記載の置換僧帽弁。
【請求項９】
更にフレームの小穴に縫い合わされているスカート部を備えることを特徴とする請求項１乃至８の何れか１項に記載の置換僧帽弁。
【請求項１０】
更にフレームの縮小部にわたっているフレームに縫いつけられた織物又は組織を備えることを特徴とする請求項１乃至９の何れか１項に記載の置換僧帽弁。
【請求項１１】
前記織物又は組織は、複数の第２アンカーを被覆していることを特徴とする請求項１０に記載の置換僧帽弁。
【請求項１２】
前記縮小部の位置は内側環又はサブ環であり、前記非縮小部の位置は上流環であることを特徴とする請求項１乃至１１の何れか１項に記載の置換僧帽弁。
【請求項１３】
縮小の間、前記フレームは、前記バルブ本体を長手方向に伸張させることなく、前記バルブ本体に対して長手方向に移動することを特徴とする請求項１乃至１２の何れか１項に記載の置換僧帽弁。
【請求項１４】
前記フレームは円形の断面を有することを特徴とする請求項１乃至１３の何れか１項に記載の置換僧帽弁。
【請求項１５】
前記フレームは非円形の断面を有することを特徴とする請求項１乃至１４の何れか１項に記載の置換僧帽弁。
【請求項１６】
前記フレームはＤ型の断面を有することを特徴とする請求項１乃至１４の何れか１項に記載の置換僧帽弁。
【手続補正書】
【提出日】平成27年1月8日(2015.1.8)
【手続補正１】
【補正対象書類名】特許請求の範囲
【補正対象項目名】請求項１
【補正方法】変更
【補正の内容】
【請求項１】
遊技領域内に配置されたユニット役物に、
前記遊技領域側から遊技球を受入可能な球受入口と、
前記球受入口から前記ユニット役物内に流入し、案内通路を経て流下してきた遊技球を自由に転動させるステージと、
前記案内通路を通過する遊技球を検出する遊技球検出手段とを備え、
前記遊技球検出手段からの検出信号に基づく流入報知演出を実行する流入報知演出制御手段を備えた
弾球遊技機において、
前記流入報知演出中を含まない所定演出中は前記流入報知演出を実行しないように構成した
ことを特徴とする弾球遊技機。
【手続補正２】
【補正対象書類名】明細書
【補正対象項目名】０００７
【補正方法】変更
【補正の内容】
【０００７】
本発明は、遊技領域７内に配置されたユニット役物１２に、前記遊技領域７側から遊技球を受入可能な球受入口３７と、前記球受入口３７から前記ユニット役物１２内に流入し、案内通路３９を経て流下してきた遊技球を自由に転動させるステージ４０ａ、４０ｂと、前記案内通路３９を通過する遊技球を検出する遊技球検出手段４１とを備え、前記遊技球検出手段４１からの検出信号に基づく流入報知演出を実行する流入報知演出制御手段１１５ａを備えた弾球遊技機において、前記流入報知演出中を含まない所定演出中は前記流入報知演出を実行しないように構成したものである。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
受像部材上の両面印刷ページの第２の面の画像である第１のインク画像を形成するとともに、前記受像部材上の他の両面印刷ページの第１の面の画像である第２のインク画像を形成するステップであって、前記第１のインク画像と前記第２のインク画像とは第１の文書間領域と第２の文書間領域とにより分離される、ステップと、
前記受像部材上の前記第１のインク画像がニップに近づくとき、前記受像部材と係合させて前記ニップを形成するためにトランスフィックスローラを動かすステップと、
第１のシートの第１の面上にインク画像を有している記録媒体の前記第１のシートの第２の面に前記第１のインク画像を転写するとき、前記受像部材上の前記文書間領域のうちの１つが前記ニップの中を移動するとき、および他のインク画像は事前に転写されていない記録媒体の第２のシートの第１の面に前記第２のインク画像を転写するとき、前記受像部材を連続的に回転させるステップと、を含むことを特徴とする印刷機の作動方法。
【請求項２】
前記ニップ内で前記第１のシートの前記第２の面に前記第１のインク画像を転写するとき、前記トランスフィックスローラの部分から、前記第１のシートの前記第１の面に離型剤を移動させるステップを含む、請求項１に記載の印刷機の作動方法。
【請求項３】
前記受像部材は、前記プリンタ内で片面印刷を実行する速度と一致する速度で回転する、請求項１に記載の印刷機の作動方法。
【請求項４】
前記受像部材は、前記プリンタ内で画像転写するための最も速い速度と一致する速度で回転する、請求項１に記載の印刷機の作動方法。
【請求項５】
前記トランスフィックスローラを動かすステップは、前記第１のインク画像が前記ニップに近づくとき、前記受像部材上の前記第１の文書間領域と接触させるステップを含む、請求項１に記載の印刷機の作動方法。
【請求項６】
前記第１の文書間領域と前記第２の文書間領域とが前記ニップの中を通って回転するとき、前記受像部材上に形成された離型剤層から、前記トランスフィックスローラの同じ部分に離型剤を移動させるステップを含む、請求項１に記載の印刷機の作動方法。
【請求項７】
前記受像部材から前記トランスフィックスローラを解放するステップと、
前記受像部材上の両面印刷ページの第２の面の画像である第３のインク画像を形成するとともに、前記受像部材上の第３の両面印刷ページの第１の面の画像である第４のインク画像を形成するステップであって、前記第３のインク画像と前記第４のインク画像とは前記第１の文書間領域と前記第２の文書間領域とにより分離される、ステップと、
前記受像部材上の前記第３のインク画像が前記ニップに近づくとき、前記受像部材と係合させて前記ニップを形成するために前記トランスフィックスローラを動かすステップと、
前記第２のシートの前記第１の面上に前記第２の画像を有している記録媒体の前記第２のシートの第２の面に前記第３のインク画像を転写するとき、前記受像部材上の前記文書間領域のうちの１つが前記ニップの中を移動するとき、および前記ニップ内で前記第２のシートの前記第２の面に前記第３のインク画像を転写するときに前記トランスフィックスローラ上の離型剤が前記第２のシートの前記第１の面に移動できるようにするために他のインク画像は事前に転写されていない記録媒体の第３のシートの第１の面に前記第４のインク画像を転写するとき、前記受像部材を連続的に回転させるステップと、
前記ニップ内で前記第２のシートの前記第２の面に前記第３のインク画像を転写するとき、前記第２のシートの前記第１の面に離型剤を移動させるステップと、を含む、請求項１に記載の印刷機の作動方法。
【請求項８】
前記第１の文書間領域と前記第２の文書間領域とが前記ニップの中を通って回転するとき、前記受像部材上に形成された離型剤層から、前記トランスフィックスローラの同じ部分に離型剤を移動させるステップをさらに含む、請求項７に記載の印刷機の作動方法。
【手続補正２】
【補正対象書類名】明細書
【補正対象項目名】発明の名称
【補正方法】変更
【補正の内容】
【発明の名称】印刷機の作動方法